(57)【特許請求の範囲】
【請求項１】
物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群、又は、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、負の屈折力を有する第６レンズ群からなり、
前記第２レンズ群が、広角端から望遠端に変倍する際に固定されており、
前記第３レンズ群が、広角端から望遠端に変倍する際に物体側に移動し、
広角端から望遠端に変倍する際隣り合うレンズ群の間隔が変化し、
前記第３レンズ群の最物体側に両凸レンズを配置し、
以下の条件式を満足することを特徴とするズームレンズ。
0.7965 ≦ f1/√(fw×fT) ≦ 1.1  ・・・・・・・・・（２）
0.60 ≦ Lt/fT ≦ 0.75 ・・・・・・・・・・・・・・（４）
fw：広角端での焦点距離
f1：第1レンズ群の焦点距離
Lt   ：望遠端でのレンズ系全長
fT   ：望遠端での焦点距離
【請求項２】
前記第１レンズ群を構成するレンズ群内のg線とF線における異常分散性をΔPgFとする時、以下の条件を満足するレンズを少なくとも１枚有することを特徴とする請求項１に記載のズームレンズ。
0.018  ≦  ΔPgF・・・・・・・・・・・・・・・・（３）
ΔPgF：C7及びF2の部分分散比とνdの座標を通る直線を基準線としたときの、部分分散比の基準線からの偏差
【請求項３】
前記第５レンズ群以降に、少なくとも１つの変倍時移動レンズ群を含むことを特徴とする請求項１または２に記載のズームレンズ。
【請求項４】
前記第２レンズ群より像側に絞りを有し、前記絞りより像側のレンズ群もしくは該レンズ群の一部を光軸方向に移動させることで、無限遠から近接物体への合焦を行うことを特徴とする請求項１ないし３のうちの一項に記載のズームレンズ。
【請求項５】
前記第５レンズ群より像側に位置するレンズ群のうち少なくとも１つは、広角端から望遠端への変倍中に物体側に移動することを特徴とする請求項１ないし４のうちの一項に記載のズームレンズ。
【請求項６】
請求項１ないし５のうちの一項に記載の前記ズームレンズの像側に、前記ズームレンズによって形成された光学像を電気的信号に変換する撮像素子を備えたことを特徴とする撮像装置。
【発明の詳細な説明】
【技術分野】
【０００１】
本発明は、ズームレンズ、該ズームレンズを有する交換レンズ装置及び撮像装置に関する。本発明は、さら詳しくは、例えば、デジタルスチルカメラやデジタルビデオカメラ等のデジタル入出力機器の撮影光学系に好適な、高変倍で小型なズームレンズ、該ズームレンズを有する交換レンズ装置及び撮像装置に関する。
【背景技術】
【０００２】
近年、デジタルスチルカメラの等の固体撮像素子を用いた撮影装置が普及している。それに伴い、光学系の高性能化、小型化が進み、小型の撮像装置システムが急速に普及してきている。これらの撮像装置システムの光学系は、高性能化と共に、小型化すなわちズームレンズ光学系の全長の短く直径の小さいものへの要望も強い。特に、望遠系ズームレンズのような望遠端での焦点距離が長い光学系には、高性能化及び小型化の要望が強い。
【０００３】
高性能化と共に小型化を実現し、実施態様において最大焦点距離が４９０ｍｍ、その時の光学系全長３１８．２８３ｍｍの従来の望遠系ズームレンズとして、物体側から順に、正の屈折力を持つ第１レンズ群Ｌ１、負の屈折力を持つ第２レンズ群Ｌ２、正の屈折力を持つ第３レンズ群Ｌ３、正の屈折力を持つ第４レンズ群Ｌ４、絞りで構成される第５レンズ群、負の屈折力を持つ第６レンズ群Ｌ６を有し、第１レンズ群Ｌ１、第４レンズ群Ｌ４、第５群、第６レンズ群Ｌ６を物体側へ移動させることによって広角端から望遠端へ変倍を行い、変倍に伴う像面移動の補正を第３レンズ群Ｌ３の移動させることによって行う望遠ズームレンズであって、
第１レンズ群Ｌ１の最も像面に近いレンズを凸レンズとし、
第１レンズ群Ｌ１の焦点距離をｆ１、全系の望遠端における焦点距離をｆｔとした時、        ０．４５  ≦  ｆ１  ／  ｆｔ  ≦  ０．５８            （１）
第２レンズ群Ｌ２の焦点距離をｆ２とした時、
０．２５  ≦  ｜  f2  ｜  ／  ｆｔ  ≦  ０．３５      （２）
第３レンズ群Ｌ３の焦点距離をｆ3とした時、
０．３０  ≦  ｆ３  ／  ｆｔ  ≦  ０．３５            （３）
第６レンズ群Ｌ６の焦点距離をｆ６とした時、
０．１２≦  ｜  ｆ６  ｜  ／  ｆｔ  ≦  ０．１８      （４）
第１レンズ群Ｌ１の変倍による移動量をｍ１、第６レンズ群Ｌ６の変倍による移動量をｍ６とした時、
１．２  ≦  ｍ１  ／  ｍ６  ≦  ２．０                （５）
とする望遠ズームレンズが提案されている（例えば、特許文献１参照）。
【先行技術文献】
【特許文献】
【０００４】
【特許文献１】特開２００３−３４４７６８号公報
【発明の概要】
【発明が解決しようとする課題】
【０００５】
（発明の目的）
上述した従来技術の望遠ズームレンズは、望遠端での全長がまだ長く、第１レンズ群の移動量が大きいという問題もある。
そこで、本発明のズームレンズ及び撮像装置は、上記した問題点に鑑み、高性能結像をなすことにより、撮像素子の画像素子がフィルムより微細な交換レンズ、デジタルスチルカメラ、デジタルビデオカメラ等の固体撮像装置を用いた撮像装置に好適で実施できるズームレンズ及び撮像装置を提供することを目的とする。
また、第１レンズ群の移動量を減少させ、鏡筒全体の小型化を達成したズームレンズ及び撮像装置を提供することを目的とする。
【課題を解決するための手段】
【０００６】
本発明の一態様に係るズームレンズは、
物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群、又は、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、負の屈折力を有する第６レンズ群からなり、
前記第２レンズ群が、広角端から望遠端に変倍する際に固定されており、
前記第３レンズ群が、広角端から望遠端に変倍する際に物体側に移動し、
広角端から望遠端に変倍する際隣り合うレンズ群の間隔が変化し、
前記第３レンズ群の最物体側に両凸レンズを配置し、
以下の条件式を満足することを特徴とするズームレンズ。
0.7965 ≦ f1/√(fw×fT) ≦ 1.1  ・・・・・・・・・（２）
0.60 ≦ Lt/fT ≦ 0.75 ・・・・・・・・・・・・・・（４）
fw：広角端での焦点距離
f1：第1レンズ群の焦点距離
Lt   ：望遠端でのレンズ系全長
fT   ：望遠端での焦点距離
である。
【０００７】
本発明の一態様に係る撮像装置は、
物体側から順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群、又は、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、負の屈折力を有する第６レンズ群からなり、
前記第２レンズ群が、広角端から望遠端に変倍する際に固定されており、
前記第３レンズ群が、広角端から望遠端に変倍する際に物体側に移動し、
広角端から望遠端に変倍する際隣り合うレンズ群の間隔が変化し、
前記第３レンズ群の最物体側に両凸レンズを配置し、
以下の条件式を満足することを特徴とするズームレンズの像側に、前記ズームレンズによって形成された光学像を電気的信号に変換する撮像素子を備えたことを特徴とする撮像装置
0.7965 ≦ f1/√(fw×fT) ≦ 1.1  ・・・・・・・・・（２）
0.60 ≦ Lt/fT ≦ 0.75 ・・・・・・・・・・・・・・（４）
fw：広角端での焦点距離
f1：第1レンズ群の焦点距離
Lt   ：望遠端でのレンズ系全長
fT   ：望遠端での焦点距離
である。
【発明の効果】
【０００８】
本発明では、物体側から順に正の屈折力を有する第１レンズ群と、負の屈折力を有する第２レンズ群と、正の屈折力を有する第３レンズ群と、正の屈折力を有する第４レンズ群と、第５レンズ群を少なくとも有し、５成分以上のレンズ群間隔を変倍中に変化させることで、収差補正の自由度を高めることができる。
【０００９】
本発明のズームレンズ及び撮像装置によれば、高性能結像をなすことにより、撮像素子の画像素子がフィルムより微細な交換レンズ、デジタルスチルカメラ、デジタルビデオカメラ等の固体撮像装置を用いた撮像装置に好適で実施できるズームレンズ及び撮像装置を構成することができる。
また、第１レンズ群の移動量を減少させ、鏡筒全体の小型化を達成したズームレンズ及び撮像装置を提供することができる。
【００１０】
（発明の実施態様１）
前記第１発明のズームレンズにおいて、以下の条件式を満足することを特徴とする。
0.5 ≦ f1/√(fw×fT) ≦ 1.3 ・・・・・・・・・・・・（２）
fw：広角端での焦点距離
fT：望遠端での焦点距離
f1：第1レンズ群の焦点距離
【００１１】
発明の実施態様１は、より好ましくは、
0.6 ≦ f1/√(fw×fT) ≦ 1.2 ・・・・・・・・・・・・（２’）
である。
発明の実施態様１は、さらにより好ましくは、
0.7 ≦ f1/√(fw×fT) ≦ 1.1 ・・・・・・・・・・・・（２’’）
である。
【００１２】
（発明の実施態様２）
前記第１発明のズームレンズにおいて、前記第５レンズ群以降に少なくとも負の屈折力のレンズ群を１つ含むことを特徴とする。
【００１３】
（発明の実施態様３）
前記第１発明のズームレンズにおいて、前記第２レンズ群が、広角端状態から望遠端に変倍する際に固定されていることを特徴とする。
【００１４】
（発明の実施態様４）
前記第１発明のズームレンズにおいて、前記第１レンズ群を構成するレンズ群内のg線とF線における異常分散性をΔPgFとする時、以下の条件を満足するレンズを少なくとも１枚有することを特徴とする。
0.018  ≦  ΔPgF・・・・・・・・・・・・・・・・（３）
ΔPgF：C7及びF2の部分分散比とνdの座標を通る直線を基準線としたときの、部分分散比の基準線からの偏差
【００１５】
（発明の実施態様５）
前記第１発明のズームレンズにおいて、さらに、条件式（４）を満足することを特徴とする。
0.60 ≦ Lt/fT ≦ 0.75 ・・・・・・・・・・・・・・（４）
Lt：望遠端でのレンズ系全長
fT：望遠端での焦点距離
【００１６】
（発明の実施態様６）
前記第１発明のズームレンズにおいて、前記第５レンズ群以降に、少なくとも１つの変倍時移動レンズ群を含むことを特徴とする。
【００１７】
（発明の実施態様７）
前記第１発明のズームレンズにおいて、前記第２レンズ群より像側に絞りを有し、前記絞りより像側のレンズ群もしくは該レンズ群の一部を光軸方向に移動させることで、無限遠から近接物体への合焦を行うことを特徴とする。
【００１８】
（発明の実施態様８）
前記第１発明のズームレンズにおいて、前記第５レンズ群より像側に位置するレンズ群のうち少なくとも１つは、広角端から望遠端への変倍中に物体側に移動することを特徴とする。
第５レンズ群より像側に位置するレンズ群のうち少なくとも１つを、広角端から望遠端への変倍中に物体側に移動させることによって、第５レンズ群より像側の群の合成倍率を大きくすることができる。
【００１９】
(条件式（１）)
条件式（1）の下限を超えると、最終群での拡大効果が少なく、望遠端でのレンズ全長が長くなる。それに伴い、第１レンズ群の変倍時の移動量が増加し、第１群を移動させるためのカム構造が複雑となり、鏡筒全体の小型化への妨げとなる。
条件式（1）の上限を超えると、最終群での拡大効果が大きくなり過ぎて、少ないレンズ枚数での収差補正が困難となる。
条件式（1）を満足することによって、望遠端でのレンズ系全長を抑え、第１レンズ群の変倍時の移動量を小さくすることができ、かつ良好な収差補正が達成できる。従って、条件式（1）を満足することによって、鏡筒全体の小型化と高性能化を同時に実現できる。
【００２０】
(条件式（２）)
条件式（２）の下限を超えて第１レンズ群の正の屈折率が強くなると、望遠端での色収差が大きくなり、補正が困難となり、望ましくない。また、上限を超え、第１レンズ群の正の屈折率が弱くなると、第２レンズ群に入射する光束が小さくならず、第２レンズ群が大型化する。また、第１群の移動量の増大を招き、鏡筒全体の大型化をもたらし、望ましくない。
【００２１】
(条件式（３）)
第１レンズ群を構成するレンズの異常分散性を規定する条件式（３）を満足することにより、望遠端での軸上色収差を良好に補正することができる。
【００２２】
(条件式（４）)
望遠端での光学系全長に関する条件式（４）を満足することで、特に望遠端でのレンズ系全長が非常に短い望遠ズームレンズを実現することができる。条件式（４）の下限を超えると、望遠端でのレンズ系全長が短くなり過ぎ、特に広角端において所望の光学性能を確保できなくなる。
条件式（４）の上限を超えると、望遠端でのレンズ系全長が長い望遠ズームレンズとなり、鏡筒全体の小型化への妨げとなる。
条件（４）を満足することで、光学系の高い結像性能を実現し、鏡筒全体の小型化ができる。
【図面の簡単な説明】
【００２３】
【図１】本発明のズームレンズの第１実施形態に係るレンズ構成の広角端におけるレンズ断面図である。
【図２】本発明のズームレンズの第１実施形態に係るレンズの広角端状態における無限遠合焦時の球面収差、非点収差及び歪曲収差図である。なお球面収差図において縦軸に開放Fnoとの割合、横軸にデフォーカスをとり、実線がd線（波長587.6nm）、破線がC線（波長656.3nm）、一点鎖線がg線（波長435.8nm）での球面収差をそれぞれ表す。非点収差図では、縦軸に像高、横軸にデフォーカスをとり、実線がサジタル、破線がメリジオナルの各像面を表す。歪曲収差図では、縦軸に像高、横軸に％をとり、歪曲を表す。
【図３】本発明のズームレンズの第１実施形態に係るレンズの中間焦点距離状態における無限遠合焦時の球面収差、非点収差及び歪曲収差図である。
【図４】本発明のズームレンズの第１実施形態に係るレンズの望遠端状態における無限遠合焦時の球面収差、非点収差及び歪曲収差の収差図である。
【図５】本発明のズームレンズの第２実施形態に係るレンズ構成の広角端でのレンズ断面図である。
【図６】本発明のズームレンズの第２実施形態に係るレンズの広角端状態における無限遠合焦時の球面収差、非点収差及び歪曲収差図である。
【図７】本発明のズームレンズの第２実施形態に係るレンズの中間焦点距離状態における無限遠合焦時の球面収差、非点収差及び歪曲収差図である。
【図８】本発明のズームレンズの第２実施形態に係るレンズの望遠端状態における無限遠合焦時の球面収差、非点収差及び歪曲収差の収差図である。
【図９】本発明のズームレンズの第３実施形態に係るレンズ構成の広角端でのレンズ断面図である。
【図１０】本発明のズームレンズの第３実施形態に係るレンズの広角端状態における無限遠合焦時の球面収差、非点収差及び歪曲収差図である。
【図１１】本発明のズームレンズの第３実施形態に係るレンズの中間焦点距離状態における無限遠合焦時の球面収差、非点収差及び歪曲収差図である。
【図１２】本発明のズームレンズの第３実施形態に係るレンズの望遠端状態における無限遠合焦時の球面収差、非点収差及び歪曲収差の収差図である。
【図１３】本発明のズームレンズの第４実施形態に係るレンズ構成の広角端でのレンズ断面図である。
【図１４】本発明のズームレンズの第４実施形態に係るレンズの広角端状態における無限遠合焦時の球面収差、非点収差及び歪曲収差図である。
【図１５】本発明のズームレンズの第４実施形態に係るレンズの中間焦点距離状態における無限遠合焦時の球面収差、非点収差及び歪曲収差図である。
【図１６】本発明のズームレンズの第４実施形態に係るレンズの望遠端状態における無限遠合焦時の球面収差、非点収差及び歪曲収差の収差図である。
【図１７】本発明のズームレンズの第５実施形態に係るレンズ構成の広角端でのレンズ断面図である。
【図１８】本発明のズームレンズの第５実施形態に係るレンズの広角端状態における無限遠合焦時の球面収差、非点収差及び歪曲収差図である。
【図１９】本発明のズームレンズの第５実施形態に係るレンズの中間焦点距離状態における無限遠合焦時の球面収差、非点収差及び歪曲収差図である。
【図２０】本発明のズームレンズの第５実施形態に係るレンズの望遠端状態における無限遠合焦時の球面収差、非点収差及び歪曲収差の収差図である。
【発明を実施するための形態】
【００２４】
（第１実施形態）
図１は、本発明の第１実施形態に係るズームレンズのレンズ構成を示すレンズ断面図である。第１実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5と、負の屈折力を有する第６レンズ群G06とによって構成される。
【００２５】
第１レンズ群G1は、物体側から順に、物体側に凸面を向けた負の屈折力を有するメニスカスレンズL1と、正の屈折力を有するレンズL2との接合レンズと、正の屈折力を有するレンズL3とによって構成される。
第２レンズ群G2は、物体側から順に、物体側に凹面を向けた負の屈折力を有するレンズL4と、正の屈折力を有するメニスカスレンズL5との接合レンズと、物体側に凹面を向けた負の屈折を有するメニスカスレンズL6とによって構成される。
第３レンズ群G3は、物体側から順に、両凸レンズL7と、両凸レンズL8と、物体側に凸面を向けた正の屈折力を有するレンズL9と、負の屈折力を有するレンズL10との接合レンズと,両凹レンズL11と、物体側に凸面を向けた正の屈折力を有するメニスカスレンズL12との接合レンズとによって構成される。
第４レンズ群G4は、物体側から順に、両凸レンズL13と物体側に凸面を向けた正の屈折力を有するレンズL14と、負の屈折力を有するレンズL15との接合レンズとによって構成される。
第５レンズ群G5は、物体側から順に、両凸レンズL16と、両凹レンズL17との接合レンズとによって構成される。
第６レンズ群G6は、物体側に凹面を向けた負の屈折力を有するメニスカスレンズL18によって構成される。
【００２６】
第１実施形態のズームレンズにおいては、広角端から望遠端への変倍に際して、第１レンズ群が物体側に移動し、第２レンズ群は固定、第３レンズ群は第２レンズ群に対して像側に凸の軌跡を描きながら移動し、第４レンズ群は第４レンズ群に対して像側に凸の軌跡を描きながら移動し、第５レンズ群は物体側に移動し、第６レンズ群は第４レンズ群と一体となって、第４レンズ群と同様に移動する。
【００２７】
近接物体への合焦は、第５レンズ群を像側に移動させることによって行う。L11とL12の接合レンズを光軸と垂直方向に移動させることによって、撮影時の像ブレに対する補正を行う。
【００２８】
第１実施形態のズームレンズのレンズデータを、表１に示す。面番号NSは物体側から数えたレンズ面の順番、Rはレンズ面の曲率半径、Dはレンズ面の光軸上の間隔、Nｄはｄ線（波長λ=587.6ｎｍ）に対する屈折率、νｄはｄ線（波長λ=587.6ｎｍ）に対するアッベ数をそれぞれ示す。
絞りすなわち開口絞りは、面番号にSTOPを付して示される。
【００２９】
［表１］
NS            R           D         Nd          ABV       ΔPgF
1         486.4782      1.4500     1.83400     37.34
2          83.3399      0.0100     1.56732     42.84
3          83.3399      5.5100     1.49700     81.61      0.0375
4        -172.8214      0.1500        
5          63.2093      5.2914     1.48749     70.44
6        -895.6302     D( 6)          
7           0.0000      1.8876       
8         -96.2544      0.7500     1.76524     50.37
9          18.4045      0.0100     1.56732     42.84
10         18.4045      3.0631     1.80518     25.46
11         70.9807      2.5194       
12        -41.5515      0.7000     1.80420     46.50
13     -10114.4818     D(13)         
14         39.2470      4.1119     1.49700     81.61
15        -41.3613      0.1000      
16         40.1380      2.6375     1.48749     70.44
17      -1692.6300      0.1000       
18         43.0535      3.8276     1.48749     70.44
19        -29.6342      0.0100     1.56732     42.84
20        -29.6342      0.7000     1.90739     33.25
21        119.5406      6.7000       
22      -1390.5046      0.6000     1.77791     44.07
23         18.4637      0.0100     1.56732     42.84
24         18.4637      2.3536     1.90366     31.31
25         48.8224      2.3000        
26 STOP     0.0000     D(26)          
27         52.7369      2.8298     1.56732     42.84
28        -27.8361      0.1000        
29         26.5392      3.2246     1.54356     46.62
30        -23.1396      0.0100     1.56732     42.84
31        -23.1396      0.6000     1.90366     31.31
32        104.0723     D(32)          
33         54.2263      1.4342     1.80518     25.46
34        -61.6536      0.0100     1.56732     42.84
35        -61.6536      0.5600     1.74161     49.80
36         16.9498     D(36)          
37        -24.4610      0.9300     1.48749     70.44
38        -87.3035      0.0000        
39          0.0000     D(39)          
40          0.0000      2.8000     1.51680     64.20
41          0.0000      1.0000     
【００３０】
第１実施形態のズームレンズの広角端状態(f=68.7634)、中間焦点距離状態(f=149.5669)及び望遠端状態(f=291.2580)の面間隔を、焦点距離f、ＦナンバーFno、画角ωと共に、表２に示す。
［表２］
f      68.7634    149.5669     291.2580
Fno     4.62776     5.18280      6.80830
ω      6.8004      3.13810      1.61270
D( 6)  18.4552     49.5086      57.3552
D(13)  24.5140     18.2970       1.5000
D(26)   4.3452      4.2773       7.7592
D(32)   5.4806      1.4000       2.7630
D(36)  11.0774     15.1581      13.7950
D(39)  19.7269     26.0118      39.3269
【００３１】
第１実施形態のズームレンズの広角端状態(f=68.7634)、中間焦点距離状態(f=149.5669)及び望遠端状態(f=291.2580)での近接物体合焦時の面間隔を、無限物体合焦時の焦点距離f、第１レンズ面から物体までの距離D(0)と共に、表３に示す。
［表３］
f          68.7634     149.5669     291.2580
D( 0)    1058.11      1027.06      1019.21
D(32)       6.6285       4.8033      12.0080
D(36)       9.9260      11.7548       4.5501
【００３２】
（第２実施形態）
図５は、本発明の第２実施形態に係るズームレンズのレンズ構成を示すレンズ断面図である。第１実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とによって構成される。
【００３３】
第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、正の屈折力を有するレンズL4と、負の屈折力を有するレンズL5との接合レンズと、物体側に凸面を向けた正の屈折力を有するレンズL7と、負の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、正の屈折力を有するレンズL20との接合レンズとで構成される。
【００３４】
第２実施形態のズームレンズにおいては、広角端から望遠端への変倍に際しては、第１レンズ群が物体側に移動し、第２レンズ群は固定、第３レンズ群は第２レンズ群に対して像側に凸の軌跡を描きながら移動し、第４レンズ群は第３レンズ群に対して像側に凸の軌跡を描きながら移動し、第５レンズ群は物体側に移動する。
【００３５】
近接物体への合焦は、第４レンズ群を像側に移動させることで行う。L13とL14の接合レンズを光軸と垂直方向に移動させることによって、撮影時の像ブレに対する補正を行う。
【００３６】
第２実施形態のズームレンズのレンズデータを、表４に示す。
【００３７】
［表４］
NS            R           D          Nd         ABV     ΔPgF
1         507.2915      3.0000     1.83400     37.34    
2         170.5651      0.0200     1.56732     42.84    
3         170.5651     10.0500     1.49700     81.61    0.0375
4        -546.9417      0.3000         
5         140.0409      9.1000     1.49700     81.61    0.0375
6        6747.4128     D( 6)           
7        -462.7175      4.4000     1.80518     25.46
8         -59.7377      0.0100     1.56732     42.84
9         -59.7377      1.6000     1.75540     47.52
10         89.4635      1.7000        
11         84.1934      4.0322     1.80518     25.46
12       -143.0460      0.0100     1.56732     42.84
13       -143.0460      1.4000     1.83481     42.72
14        103.1048      4.3467        
15        -72.3495      1.5000     1.90366     31.31
16       -959.3316     D(16)          
17         96.4840      4.8156     1.49700     81.61
18        -93.3616      0.2000        
19        136.2135      3.8473     1.48749     70.44
20       -135.3488      0.2000        
21         74.9337      5.3536     1.48749     70.44
22        -69.9732      0.0100     1.56732     42.84
23        -69.9732      1.5000     1.90366     31.31
24      -1625.6271     12.0000        
25       -276.9348      1.2000     1.80393     37.39
26         24.9138      0.0100     1.56732     42.84
27         24.9138      4.7931     1.83950     29.48
28        112.4209      4.5000        
29 STOP     0.0000     D(29)          
30         82.8644      4.6000     1.50601     60.25
31        -68.5146      0.2000        
32         38.3468      5.4000     1.50163     62.32
33        -58.6905      0.0100     1.56732     42.84
34        -58.6905      3.3708     1.90366     31.31
35       1283.2003      0.0000        
36          0.0000     D(36)          
37        101.8564      1.3000     1.83481     42.72
38         24.0855      5.7488        
39        -73.4446      1.3504     1.48749     70.44
40         24.7023      0.0100     1.56732     42.84
41         24.7023      5.6000     1.66885     31.91
42      -3665.3014     D(42)          
43          0.0000      2.0000     1.51680     64.20
44          0.0000      1.0000     
【００３８】
第２実施形態のズームレンズの広角端状態(f=151.9125)、中間焦点距離状態(f=300.56)及び望遠端状態(f=582.2009)の面間隔を、焦点距離f、ＦナンバーFno、画角ωと共に、表５に示す。
［表５］
f        151.9125     300.5600     582.2009
Fno        4.94595      5.91814      6.77715
ω         7.9237       4.01640      2.07480
D( 6)     64.0000     111.8284     141.2200
D(16)     34.6165      23.4740       2.0400
D(29)     28.9568      16.6652      23.1985
D(36)      9.6584       5.9504       3.1420
D(42)     51.0000      78.1421      95.8512
【００３９】
第２実施形態のズームレンズの広角端状態(f=151.9125)、中間焦点距離状態(f=300.56)及び望遠端状態(f=582.2009)での近接物体合焦時の面間隔を、無限物体合焦時の焦点距離f、第1レンズ面から物体までの距離D(0)と共に、表６に示す。
［表６］
f           151.9125    300.5600     582.2009
D( 0)      2401.28     2353.45      2324.06
D(29)        27.6147     13.4871      14.3841
D(36)        11.0005      9.1285      11.9565
【００４０】
（第３実施形態）
図５は、本発明の第３実施形態に係るズームレンズのレンズ構成を示すレンズ断面図である。第３実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とによって構成される。
【００４１】
第１レンズ群G1は、物体側から順に、物体側に凸面を向けた負の屈折力を有するメニスカスレンズL1と、正の屈折力を有するレンズL2との接合レンズと、正の屈折力を有するレンズL3とによって構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL7と、正の屈折力を有するレンズL7との接合レンズと、物体側に凹面を向けた負の屈折を有するメニスカスレンズL8とによって構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【００４２】
第３実施形態のズームレンズにおいては、広角端から望遠端への変倍に際して、第１レンズ群が物体側に移動し、第２レンズ群は固定、第３レンズ群は第２レンズ群に対して像側に凸の軌跡を描きながら移動し、第４レンズ群は第3レンズ群に対して像側に凸の軌跡を描きながら移動し、第５レンズ群は物体側に移動する。
【００４３】
近接物体への合焦は、第４レンズ群を物体側に移動させることで行う。L13とL14の接合レンズを光軸と垂直方向に移動させることで、撮影時の像ブレに対する補正を行う。
【００４４】
第３実施形態のズームレンズのレンズデータを表７に示す。
［表７］
NS            R            D          Nd        ABV        ΔPgF
1          297.9129      2.8300     1.83400     37.34
2          135.0384      0.0200     1.56732     42.84
3          135.0384      9.3000     1.49700     81.61      0.0375
4        -4966.1736      0.3000         
5          146.0473      8.5000     1.49700     81.61      0.0375
6        -1305.5193     D( 6)           
7          213.6104      4.2002     1.80518     25.46
8          -62.5956      0.0100     1.56732     42.84
9          -62.5956      1.5700     1.74645     49.97
10         144.9586      3.2900        
11         612.2359      1.4500     1.83404     40.21
12          48.5752      0.0100     1.56732     42.84 
13          48.5752      3.2100     1.80518     25.46 
14         152.1415      2.4500        
15         -71.1073      1.4200     1.90366     31.31
16         627.1686     D(16)          
17          97.4108      3.9312     1.49700     81.61
18         -83.4307      0.2000        
19         126.7004      3.1209     1.48749     70.44
20        -143.7416      0.2000        
21          69.4530      4.8712     1.48749     70.44
22         -68.6082      0.0100     1.56732     42.84
23         -68.6082      1.4200     1.90366     31.31
24       -2644.7437     12.0500        
25        -271.3050      1.2500     1.82533     40.81
26          28.0112      0.0100     1.56732     42.84
27          28.0112      3.9500     1.89851     30.99
28         101.7617      4.4401        
29 STOP      0.0000     D(29)          
30          89.3134      3.7900     1.52994     52.35
31         -63.6313      0.2000        
32          36.8157      5.1142     1.50170     69.40
33         -56.3810      0.0100     1.56732     42.84
34         -56.3810      1.3200     1.90366     31.31
35        1002.5920      0.0000       
36           0.0000     D(36)         
37         101.3957      1.2500     1.81828     43.28
38          23.0588      5.9200        
39         -51.4450      1.4000     1.48749     70.44
40          26.1939      0.0100     1.56732     42.84
41          26.1939      5.4332     1.72579     34.70
42        -206.0292     D(42)          
43           0.0000      2.0000     1.51680     64.20
44           0.0000      1.0000    
【００４５】
第３実施形態のズームレンズの広角端状態(f=153.8209)、中間焦点距離状態(f=286.8109)及び望遠端状態(f=485.2042)の面間隔を、焦点距離f、ＦナンバーFno、画角ωと共に、表８に示す。
［表８］
f        153.8209      286.8109     485.2042
Fno        4.95462       5.80954      6.48931
ω         8.0054        4.31340      2.55290
D( 6)     64.9509      105.7871     129.7209
D(16)     29.9346       17.8473       2.2000
D(29)     27.7446       20.6475      22.7820
D(36)      9.7788        6.8423       4.4105
D(42)     51.3300       73.4510      89.3956
【００４６】
第３実施形態のズームレンズの広角端状態(f=153.8209)、中間焦点距離状態(f=286.8109)及び望遠端状態(f=485.2042)での近接物体合焦時の面間隔を、無限物体合焦時の焦点距離f、第1レンズ面から物体までの距離D(0)と共に、表９に示す。
［表９］
f        153.8209     286.8109     485.2042
D( 0)   2014.80      1973.96      1950.03
D(29)     26.0200      16.6583      13.9700
D(36)     11.5034      10.8315      13.2225
【００４７】
（第４実施形態）
図５は、第４実施形態のズームレンズのレンズ構成を示すレンズ断面図である。第４実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とで構成される。
【００４８】
第１レンズ群G1は、物体側から順に、物体側に凸面を向けた負の屈折力を有するメニスカスレンズL1と、正の屈折力を有するレンズL2との接合レンズと、正の屈折力を有するレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL7と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、物体側に凸面を向けた正の屈折力を有するレンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と物体側に凸面を向けた正の屈折力を有するレンズL16と、負の屈折力を有するレンズL17との接合レンズとで構成される。
第５レンズ群G5は、物体側から順に、物体側に凸面を向けた負の屈折力を有するレンズL18と、両凹レンズL19と、物体側に凸面を向けた正の屈折力を有するメニスカスレンズL20との接合レンズとで構成される。
【００４９】
第４実施形態のズームレンズにおいては、広角端から望遠端への変倍に際して、第１レンズ群が物体側に移動し、第２レンズ群は固定、第３レンズ群は第２レンズ群に対して像側に凸の軌跡を描きながら移動し、第４レンズ群は第３レンズ群に対して像側に凸の軌跡を描きながら移動し、第５レンズ群は物体側に移動する。
【００５０】
近接物体への合焦は、第４レンズ群を物体側に移動させて行う。L13とL14の接合レンズを光軸と垂直方向に移動させることで、撮影時の像ブレに対する補正を行う。
【００５１】
第４実施形態のズームレンズのレンズデータを、表１０に示す。
［表１０］
NS            R             D         Nd         ABV      ΔPgF
1          426.3567      3.0000     1.83400     37.34    
2          159.9066      0.0200     1.56732     42.84    
3          159.9066     10.0500     1.49700     81.61      0.0375
4         -684.4955      0.3000         
5          140.0775      9.1000     1.49700     81.61      0.0375
6         8733.4134     D( 6)           
7          558.1944      4.4000     1.80518     25.46
8          -61.1413      0.0100     1.56732     42.84
9          -61.1413      1.6000     1.72916     54.67
10         177.9802      2.6000        
11         583.7869      1.5000     1.80450     39.64
12          50.6562      0.0100     1.56732     42.84
13          50.6562      3.4000     1.80518     25.46
14         142.9473      3.7000        
15         -73.8510      1.5000     1.90366     31.31
16         515.2175     D(16)          
17         432.7323      4.1000     1.49700     81.61
18        -112.9310      0.2000        
19          73.5789      5.2184     1.48749     70.44
20         -95.0713      0.2000        
21          87.0854      5.1506     1.48749     70.44
22         -66.1655      0.0100     1.56732     42.84
23         -66.1655      1.5000     1.90366     31.31
24        -710.1255     12.5500        
25        -236.4657      0.9000     1.74400     44.79
26          27.5546      0.0100     1.56732     42.84
27          27.5546      4.1589     1.80610     33.27
28          99.2354      4.5500        
29 STOP      0.0000     D(29)          
30          65.1174      4.1342     1.51742     52.15
31         -65.1174      0.2000        
32          50.5972      5.4000     1.51823     58.96
33         -48.1430      0.0100     1.56732     42.84
34         -48.1430      1.3000     1.90366     31.31
35        1899.0359      0.0000        
36           0.0000     D(36)          
37         113.8672      2.2800     1.83481     42.72
38          25.8597      6.9561        
39         -55.4034      1.3000     1.48749     70.44
40          29.6386      0.0100     1.56732     42.84
41          29.6386      5.9000     1.72047     34.71
42        -175.0744     D(42)          
43           0.0000      2.0000     1.51680     64.20
44           0.0000      1.0000
【００５２】
第４実施形態のズームレンズの広角端状態(f=152.1633)、中間焦点距離状態(f=297.4851)及び望遠端状態(f=582.52)の面間隔を、焦点距離f、ＦナンバーFno、画角ωと共に、表１１に示す。
［表１１］
f      152.1633     297.4851     582.5200
Fno      4.99224      5.87742      6.53711
ω       7.9436       4.07100      2.07820
D( 6)   64.0000     111.2643     142.4400
D(16)   34.0551      23.2139       2.0400
D(29)   27.7980      17.1857      24.0639
D(36)   13.6386       8.2816       2.5000
D(42)   51.0000      77.8106      97.8880
【００５３】
第４実施形態のズームレンズの広角端状態(f=152.1633)、中間焦点距離状態(f=297.4851)及び望遠端状態(f=582.52)での近接物体合焦時の面間隔を、無限物体合焦時の焦点距離f、第１レンズ面から物体までの距離D(0)と共に、表１２に示す。
［表１２］
f      152.1633     297.4851     582.5200
D( 0) 2399.28      2352.02      2320.84
D(29)   26.1916      13.2535      12.8804
D(36)   15.2450      12.2138      13.6835
【００５４】
（第５実施形態）
図１７は、第５実施形態のズームレンズのレンズ構成を示すレンズ断面図である。第５実施形態に係るズームレンズは、物体側から順に、正の屈折力を有する第１レンズ群G1と、負の屈折力を有する第２レンズ群G2と、正の屈折力を有する第３レンズ群G3と、正の屈折力を有する第４レンズ群G4と、負の屈折力を有する第５レンズ群G5とで構成される。
【００５５】
第５実施形態のズームレンズの第１レンズ群G1は、物体側から順に、物体側に凸面を向けた負の屈折力を有するメニスカスレンズL1と、正の屈折力を有するレンズL2との接合レンズと、物体側に凸面を向けた正の屈折力を有するメニスカスレンズL3とで、構成される。
第２レンズ群G2は、物体側から順に、物体側に凸面を向けた正の屈折力を有するレンズL4と、負の屈折力を有するレンズL5との接合レンズと、物体側に凸面を向けた負の屈折力を有するメニスカスレンズL7と、正の屈折力を有するレンズL7との接合レンズと、物体側に凹面を向けた負の屈折を有するメニスカスレンズL8とで構成される。
第３レンズ群G3は、物体側から順に、両凸レンズL9と、両凸レンズL10と、両凸レンズL11と、負の屈折力を有するレンズL12との接合レンズと,両凹レンズL13と、物体側に凸面を向けた正の屈折力を有するメニスカスレンズL14との接合レンズとで構成される。
第４レンズ群G4は、物体側から順に、両凸レンズL15と両凸レンズL16と、負の屈折力を有するレンズL17との接合レンズとで構成される。
第５レンズ群G5は、物体側から順に、物体側に凸面を向けた負の屈折力を有するレンズL18と、両凹レンズL19と、両凸レンズL20との接合レンズとで構成される。
【００５６】
第５実施形態のズームレンズの広角端から望遠端への変倍に際して、第１レンズ群が物体側に移動し、第２レンズ群は固定、第３レンズ群は第２レンズ群に対して像側に凸の軌跡を描きながら移動し、第４レンズ群は第３レンズ群に対して像側に凸の軌跡を描きながら移動し、第５レンズ群は物体側に移動する。
【００５７】
近接物体への合焦は、第４レンズ群を物体側に移動させて行う。L13とL14の接合レンズを光軸と垂直方向に移動させることで、撮影時の像ブレに対する補正を行う。
【００５８】
第５実施形態のズームレンズのレンズデータを、表１３に示す。
［表１３］
NS            R            D          Nd        ABV        ΔPgF
1          343.2915      3.0000     1.83400    37.34
2          145.9091      0.0200     1.56732    42.84
3          145.9091     10.0500     1.49700    81.61        0.0375
4        -1465.0143      0.3000     
5          146.8570      9.3000     1.49700    81.61        0.0375
6        -2192.2330       D( 6)       
7          247.8836      4.5000     1.80518    25.46
8          -60.9978      0.0100     1.56732    42.84
9          -60.9978      1.6000     1.75243    49.57
10         122.8808      3.5590     
11       -3272.8176      1.5000     1.83888    39.37
12          44.9185      0.0100     1.56732    42.84
13          44.9185      3.5140     1.80518    25.46
14         172.9348      2.7259     
15         -65.8855      1.5000     1.90366    31.31
16       -8818.9517       D(16)       
17         107.5605      4.2567     1.49700    81.61
18         -82.4101      0.2000     
19         131.8612      3.5227     1.48749    70.44
20        -137.2545      0.2000     
21          74.0878      5.3399     1.48749    70.44
22         -69.9110      0.0100     1.56732    42.84
23         -69.9110      1.5000     1.90366    31.31
24       -2310.5069     13.5458     
25        -220.8383      1.2000     1.71680    45.46
26          29.9133      0.0100     1.56732    42.84
27          29.9133      4.1500     1.80610    33.27
28          95.4308      5.0000     
29 STOP      0.0000       D(29)      
30          80.8865      4.1200     1.50860    59.40
31         -64.5149      0.2000     
32          37.7400      5.4200     1.50623    60.42
33         -57.0230      0.0100     1.56732    42.84
34         -57.0230      1.3000     1.90366    31.31
35         797.3134       D(35)       
36          94.7210      1.3000     1.82563    41.77
37          24.4742      6.4000     
38         -55.8634      1.3000     1.48749    70.44
39          25.9416      0.0100     1.56732    42.84
40          25.9416      5.6800     1.65673    32.70
41        -226.3658       D(41)       
42           0.0000      2.0000     1.51680    64.20
43           0.0000      1.0000       
【００５９】
第５実施形態のズームレンズの広角端状態(f=122.40)、中間焦点距離状態(f=304.04)及び望遠端状態(f=582.00)の面間隔を、焦点距離f、ＦナンバーFno、画角ωと共に、表１４に示す。
［表１４］
f      122.4004     304.0417     582.0046
Fno      4.5047       5.8152       6.5310
ω      10.023        4.070        2.129
D( 6)   46.8750     111.4683     141.3470
D(16)   36.4322      21.0752       2.0150
D(29)   35.2507      19.3740      24.5725
D(35)   10.8554       6.7810       3.9750
D(41)   43.9427      79.2508      95.9185
【００６０】
第５実施形態のズームレンズの広角端状態(f=122.40)、中間焦点距離状態(f=304.04)及び望遠端状態(f=582.00)での近接物体合焦時の面間隔を、無限物体合焦時の焦点距離f、第1レンズ面から物体までの距離D(0)と共に、表１５に示す。
［表１５］
f        152.1633     297.4851     582.5200
D( 0)   2217.380     2152.787     2122.908
D(29)     34.11145     15.72925     14.53497
D(35)     11.99467     10.42577     14.01258
【００６１】
第１実施形態から第５実施形態における条件式（１）から条件式（４）の値を、表１６に示す。
［表１６］
実施形態                  第１      第２       第３       第４        第５
条件式（１）βbt          3.3442    3.7120     3.3690     3.3060      3.5770
条件式（２）f1/√(fw*ft)  0.7965    0.8312     0.8788     0.8265      0.9242
条件式（３）ΔPgF         0.0375    0.0375     0.0375     0.0375      0.0375
条件式（４）Lt/ft         0.6207    0.6457     0.7213     0.6509      0.6479
【符号の説明】
【００６２】
ＳＴＯＰ                絞り
Ｇ１                    第１レンズ群
・                      ・
・                      ・
Ｇ６                    第６レンズ群
Ｌ１                    第１レンズ
・                      ・
・                      ・
Ｌ２０                  第２０レンズ
【図１】
0006505779.tif 000002
【図２】
0006505779.tif 000003
【図３】
0006505779.tif 000004
【図４】
0006505779.tif 000005
【図５】
0006505779.tif 000006
【図６】
0006505779.tif 000007
【図７】
0006505779.tif 000008
【図８】
0006505779.tif 000009
【図９】
0006505779.tif 000010
【図１０】
0006505779.tif 000011
【図１１】
0006505779.tif 000012
【図１２】
0006505779.tif 000013
【図１３】
0006505779.tif 000014
【図１４】
0006505779.tif 000015
【図１５】
0006505779.tif 000016
【図１６】
0006505779.tif 000017
【図１７】
0006505779.tif 000018
【図１８】
0006505779.tif 000019
【図１９】
0006505779.tif 000020
【図２０】
0006505779.tif 000021